(57)【要約】      （修正有）【課題】コンピューター装置とデータキャリア両者の間の信号伝送及びデータのバックアップを簡単に実行させる、データをバックアップするための伝送装置を提供する。【解決手段】データをバックアップするための伝送装置は、本体１と、前記本体に接続される第１ポート２と、前記本体に接続される第２ポート３と、前記第１ポートと第２ポートの間に配置され第１ポートと第２ポートに電気的に接続されるデータバックアップ装置とを含む。前記データバックアップ装置は、バックアップチップを備え、前記第１ポートと第２ポートとの間のバックアップ作業を制御する。第１ポートと第２ポートをそれぞれコンピューター装置とデータキャリアに差し込んで接続させ、制御ボタン１３でバックアップチップを制御することにより、コンピューター装置とデータキャリア両者の間の信号伝送及びデータのバックアップを実行させる。【選択図】図１
0003155050.tif 000002
【実用新案登録請求の範囲】
【請求項１】
本体と、該本体に接続される第１ポートと、前記本体に接続される第２ポートと、前記第１ポートと第２ポートの間に配置され第１ポートと第２ポートに電気的に接続されるデータバックアップ装置とを含む、データをバックアップするための伝送装置であって、
前記データバックアップ装置が、回路板と該回路板に配置されたバックアップチップと、を備え、
前記第１ポートと第２ポートが前記回路板に電気的に接続され、前記バックアップチップが前記第１ポートと第２ポートとの間のバックアップ作業を制御することを特徴とする、データをバックアップするための伝送装置。
【請求項２】
前記本体が伝送ライン巻取り機能を有し、前記データバックアップ装置が該本体に収容され、前記データバックアップ装置と本体が一体となって伝送ライン巻取り機能を有するデータバックアップ装置を形成すると共に、前記第１ポートと第２ポートが、それぞれ伝送ラインを介して伸縮可能に前記本体に配され、前記第１ポートと第２ポートが、ＵＳＢ規格のコネクタである、請求項１に記載されたデータをバックアップするための伝送装置。
【請求項３】
前記データバックアップ装置が、前記本体と第１ポートとの間、若しくは前記本体と第２ポートとの間の何れかに配されることを特徴とする、請求項１に記載されたデータをバックアップするための伝送装置。
【請求項４】
前記データバックアップ装置が、前記第１ポート又は前記第２ポートの何れかに配される、請求項１又は３に記載されたデータをバックアップするための伝送装置。
【請求項５】
前記データバックアップ装置が制御ボタンを有すると共に、該制御ボタンが、前記回路板と電気的に接続されて前記バックアップチップを制御する、請求項１〜４の何れかに記載されたデータをバックアップするための伝送装置。
【考案の詳細な説明】
【技術分野】
【０００１】
本考案は、伝送装置に関し、特に、コンピュータ装置と種々のデータキャリアとの間に接続し、データをバックアップすることのできる装置を操作することにより、信号の伝送及びデータのバックアップを行う、データをバックアップするための伝送装置に関するものである。
【背景技術】
【０００２】
今、コンピューターはすでに汎用された通信設備として普及してきた。ハイテク産業を始め、製造業、金融機関、公共機関に至って、コンピューターはすでに必要で不可欠なツールになってきた。コンピューターを利用して文書作成、マルチメディアの扱い、オートシステムの制御や、ブラウザによるインターネットサイトの閲覧などのようなコンピューターを操作する作業には、いわゆるオペレーティングシステム（例えばWindows（マイクロソフト社の登録商標）シリーズのようなオペレーティングシステムなど）が必要である。特に、インターネットを介して各種のデータ伝送やデータ取得などの操作を行うような、インターネットを利用する方法が一般的に普及するに至った。しかし、インターネットでサイトを閲覧する際に、コンピュータウイルスの感染により、オペレーティングシステムが攻撃され、保存されているファイルが破壊されることは珍しいことではない。また、人為的ミスなどの要因で、データが失われることもある。このようなことによって、オペレーティングシステムの作動に障害が生じてしまうことさえある。
【０００３】
よって、コンピューター、ハードディスク、或いは常にデータを保持する補助記憶装置にデータをバックアップすることは、コンピュータウイルスの感染や人為的ミスなどのトラブルからデータを保護するために必要なことである。しかし、コンピューター、ハードディスク、またデータキャリアにデータのバックアップ機能を持つハードウェアやソフトウェアが搭載されないと、データをバックアップする作業をスムースに実行することができない。また、コンピューターシステムにおけるデータのバックアップの操作に詳しくないと実行することもできない。このように、ディスクや、データキャリアにデータのバックアップ機能を持つハードウェアやソフトウェアが搭載されない場合、また、コンピューターシステムにおけるデータのバックアップの操作に詳しくないユーザーである場合には、データをバックアップする作業の操作が困難になる。
【考案の概要】
【考案が解決しようとする課題】
【０００４】
したがって本考案の第１の目的は、コンピューター装置と何れかのデータキャリアとの間のデータ伝送及びデータバックアップを行うことができる、データをバックアップするための伝送装置を提供することにある。
本考案の第２の目的は、データキャリアそのものにデータのバックアップ機能を持つハードウェアやソフトウェアが搭載されない場合や、コンピューターシステムにおけるデータのバックアップの操作に詳しくない場合でも、コンピューター装置とデータキャリアにデータのバックアップと伝送の機能を簡単に実行させることができる、データをバックアップするための伝送装置を提供することにある。
【０００５】
本考案者は上記の諸目的を達成するために鋭意検討した結果、第１ポートと第２ポートとの間にバックアップチップを有するデータバックアップ装置を配することにより、コンピューター装置と何れかのデータキャリアとの間のデータのバックアップを実行させ、或いは、制御ボタンによりデータのバックアップの作動を制御することができ、これにより、ユーザーは異なったデータキャリアとコンピューター装置に対して、データのバックアップ作業を容易に実行することができることを見出し本考案に到達した。
【課題を解決するための手段】
【０００６】
即ち、本考案にかかるデータをバックアップするための伝送装置は、本体と、前記本体に接続される第１ポートと、前記本体に接続される第２ポートと、前記第１ポートと第２ポートの間に配置され第１ポートと第２ポートに電気的に接続されるデータバックアップ装置とを含む、データをバックアップするための伝送装置である。前記データバックアップ装置は、回路板と、前記回路板に配置されるバックアップチップとを備える。前記第１ポートと第２ポートは、前記回路板に電気的に接続され、前記バックアップチップは、前記第１ポートと第２ポートとの間のバックアップ作業を制御する。
【図面の簡単な説明】
【０００７】
【図１】図１は、本考案にかかる、データをバックアップするための伝送装置の第１実施例を示す斜視図である。
【図２】図２は、本考案にかかる、データをバックアップするための伝送装置の第１実施例における本体内部の断面図である。
【図３】図３は、本考案にかかる、データをバックアップするための伝送装置の第２実施例を示す斜視図である。
【図４】図４は、本考案にかかる、データをバックアップするための伝送装置の第３実施例を示す斜視図である。以下、本考案を添付図面と実施例に基づき更に具体的に説明するが、本考案は下記の実施例により制限されるものではない。
【考案を実施するための形態】
【実施例１】
【０００８】
図１と図２は、本考案にかかるデータをバックアップするための伝送装置の第１実施例を示す。本実施例において、データをバックアップするための伝送装置は、伝送ライン巻取り機能を有する装置であって、本体１と、第１ポート２及び第２ポート３とを備える。
【０００９】
本体１は、伝送ライン巻取り機能（図示せず）を有する本体である。その内部を回転させることにより、伝送ライン５が巻取られ、これによって第１ポート２、第２ポート３が巻取られ、又は繰り出される。
【００１０】
図２に示すように、本実施例では、本体１には、回路板１１と、バックアップチップ１２と、制御ボタン１３と、が収容される。回路板１１、バックアップチップ１２と制御ボタン１３は、データをバックアップするための構造を構成する。バックアップチップ１２は回路板１１に電気的に接続され、データの読取りやバックアップをする。制御ボタン１３は、回路板１１に電気的に接続され、バックアップチップ１２の動作を制御する。
【００１１】
第１ポート２はコネクタである。本体１と伝送ライン５を介して伸縮可能に本体１の一端に接続される。第１ポート２は、回路板１１に電気的に接続され(図２参照)、コンピューター装置(図示せず)との間の伝送媒体として機能する。第１ポート２は、コンピューター装置に差し込んでデータ伝送を行うことができる。
第２ポート３はコネクタである。本体１と伝送ライン５を介して伸縮可能に本体１の他端に接続される。第２ポート３は、回路板１１に電気的に接続され(図２に参照)、データキャリア（図示せず）との間の伝送媒体として機能する。第２ポート３を、適宜データキャリアに差し込んでデータ伝送を行うことができる。
【００１２】
好ましくは、前記第１ポート２と第２ポート３は、ＵＳＢ規格のコネクタ、または、コンピューター装置とデータキャリアに適用された規格のコネクタである。本考案におけるコンピューター装置とデータキャリアとしては、例えば、携帯電話、デスクトップパソコン、ノートパソコン、フラットコンピュータ、タブレットＰＣ、ＰＤＡ等の電子ストレージ装置が挙げられる。
【００１３】
データをバックアップするための伝送装置を使用するに際し、第１ポート２と第２ポート３をコンピューター装置及びデータキャリアにそれぞれ差し込むと、バックアップチップが、コンピューター装置のディスプレイにバックアップする機能の画面を表示させるように動作する。ユーザーがバックアップしようとするデータを選択することにより、選択されたデータがデータキャリアへ伝送されてバックアップされる。このように、両方のデータ伝送を行うことができる。若しくは、ユーザーは制御ボタン１３を操作することにより、バックアップチップ１２の動作を制御して、コンピューター装置とデータキャリアとの間のデータのバックアップを行うようにしてもよい。このように、コンピューター装置やデータキャリアにデータをバックアップするための機能が搭載されない場合や、コンピューターのオペレーティングシステムのバックアップ作業に詳しくない場合でも、本考案の装置を使用すればスムースに信号伝送及びデータバックアップを行うことができる。
【実施例２】
【００１４】
図３は、本考案にかかるデータをバックアップするための伝送装置の第２実施例を示す。データをバックアップするための伝送装置は、本体１と、第１ポート２と、第２ポート３と、データバックアップ装置４と、を備える。
【００１５】
本実施例と前記実施例１との相違点は、データバックアップ装置４を独立した別体とし、第１ポート２と第２ポート３と電気的に接続されるように第１ポート２と第２ポート３との間に配置されることである。データバックアップ装置４は、回路板４１と、バックアップチップ４２と、制御ボタン４３と、を備える。回路板４１は、第１ポート２と第２ポート３に電気的に接続され、データの伝送を行う。バックアップチップ４２は、回路板４１に電気的に接続され、コンピューター装置とデータキャリアとの間で、データのバックアップを行う。制御ボタン４３は、回路板４１に電気的に接続され、バックアップチップ４２を制御するとともに、コンピューター装置及びデータキャリアのバックアップ動作を実行させる。このように、第１ポート２と第２ポート３とをそれぞれコンピューター装置とデータキャリアに差し込むことにより、データバックアップ装置４は、容易に双方への信号伝送及びデータのバックアップを行うことができる。
【実施例３】
【００１６】
図４は、本考案にかかるデータをバックアップするための伝送装置の第３実施例を示す。データをバックアップするための伝送装置は、本体１と、第１ポート２と、第２ポート３と、を備える。
【００１７】
本実施例と前記実施例１との相違点は、第１ポート２がデータバックアップ装置２２に配置されることである。データバックアップ装置２２は、回路板２２１と、バックアップチップ２２２と、制御ボタン２２３とを備える。バックアップチップ２２２は、回路板２２１に電気的に接続される。制御ボタン２２３は、回路板２２１に電気的に接続され、バックアップチップ２２２の動作を制御するとともに、コンピューター装置とデータキャリアとの間の信号伝送及びデータバックアップを実行させる。
【００１８】
本考案にかかる実施例においては、データバックアップ装置における制御ボタンは、データバックアップ装置に必須の部材ではなく、実際のニーズに応じて、制御ボタンを省略してもよい。
【００１９】
上記したように、データをバックアップする構造を設計することにより、データをバックアップするための本考案の伝送装置は、下記のような利点を有する。
（１）データバックアップ装置におけるバックアップチップにより、効果的にコンピューター装置とデータキャリアとの間のデータのバックアップ作業を行うことができ、ユーザーは異なるデータキャリアに対するデータのバックアップを行うことができる。
（２）データキャリアそのものにデータのバックアップ機能を持つハードウェアやソフトウェアが搭載されなくても、データバックアップ装置の簡単な操作により、コンピューター装置とデータキャリアとの間のデータのバックアップと伝送を容易に行うことができる。
（３）コンピューターシステムにおけるデータのバックアップの操作に詳しくない者でも、本考案にかかるデータをバックアップするための装置により、簡単な手順でコンピューター装置とデータキャリアとの間のデータバックアップや信号伝送を行うことができる。
【００２０】
以上、本考案の実施の形態について説明したが、本考案の技術範囲は上記実施の形態に限定されるものではなく、本考案の趣旨を逸脱しない範囲において様々の変更を加えることが可能である。
【符号の説明】
【００２１】
１    本体
１１  回路板
１２  バックアップチップ
１３  制御ボタン
２    第１ポート
２２  データバックアップ装置
２２１  回路板
２２２  バックアップチップ
２２３制御ボタン
３    第２ポート
４    データバックアップ装置
４１  回路板
４２  バックアップチップ
４３  制御ボタン
５    伝送ライン
【図１】
0003155050.tif 000003
【図２】
0003155050.tif 000004
【図３】
0003155050.tif 000005
【図４】
0003155050.tif 000006